(57)【要約】【課題】解像度の不自然な劣化を抑えることができるようにした表示装置を提供する。【解決手段】複数のサブピクセルを有する画素が第１の方向および第２の方向に２次元的に配列され、複数の視点画像を各サブピクセルに割り当てて表示する表示部と、表示部に表示された各視点画像を空間的に分離する分離部とを備える。第１または第２の方向の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いる。【選択図】図３
2012212079.tif 000002
【特許請求の範囲】
【請求項１】
複数のサブピクセルを有する画素が第１の方向および第２の方向に２次元的に配列され、複数の視点画像を前記各サブピクセルに割り当てて表示する表示部と、
前記表示部に表示された前記各視点画像を空間的に分離する分離部と
を備え、
前記第１または第２の方向の第１のサブピクセルライン上にある複数のサブピクセルと前記第１のサブピクセルラインに隣接する第２のサブピクセルライン上にある他の複数のサブピクセルとの組み合わせを１つの前記視点画像を表示するための１画素として用いる
表示装置。
【請求項２】
前記表示部の１つの画素は、互いに表示色が異なる第１ないし第４の色のサブピクセルからなる
請求項１に記載の表示装置。
【請求項３】
前記第１のサブピクセルライン上にある第１の画素を構成する第１および第２の色のサブピクセルと前記第２のサブピクセルライン上にある第２の画素を構成する第３および第４の色のサブピクセルとの組み合わせを１つの前記視点画像を表示するための１画素として用いる
請求項２に記載の表示装置。
【請求項４】
前記表示部において、前記第１の方向には、前記第１ないし第４の色のサブピクセルが周期的に交互に配列され、前記第２の方向には同一色のサブピクセルが配列されており、
前記第１のサブピクセルラインおよび前記第２のサブピクセルラインは、前記第１の方向のサブピクセルラインである
請求項３に記載の表示装置。
【請求項５】
前記表示部の１つの画素は、前記第１ないし第４の色のサブピクセルが前記第１の方向および前記第２の方向に正方形状に配列されたものであり、
前記第１のサブピクセルラインおよび前記第２のサブピクセルラインは、前記第２の方向のサブピクセルラインである
請求項３に記載の表示装置。
【請求項６】
前記表示部は、第１の配置状態と、前記第１の配置状態に対して配置方向を表示面に平行な面内で所定角度回転させた第２の配置状態との２つの配置状態に切り替えて画像表示が可能なものであり、
前記第１の配置状態と前記第２の配置状態とで、前記視点画像を表示するための１画素として用いるサブピクセルの組み合わせを異ならせる
請求項５に記載の表示装置。
【請求項７】
前記第１の配置状態では、前記第１のサブピクセルラインおよび前記第２のサブピクセルラインは、前記表示部の表示面内の座標系で前記第２の方向のサブピクセルラインであり、
前記第２の配置状態では、前記第１のサブピクセルラインおよび前記第２のサブピクセルラインは、前記表示部の表示面内の座標系で前記第１の方向のサブピクセルラインである
請求項６に記載の表示装置。
【請求項８】
前記分離部は、光を透過する複数の開口部を有するパララックスバリア素子であり、
前記複数の開口部は、その配置位置が前記第１の方向または前記第２の方向の１サブピクセルラインごとに周期的に変わるように、前記第１の方向および前記第２の方向に２次元的に配置されている
請求項１に記載の表示装置。
【請求項９】
前記分離部は、光を透過する複数の開口部を有するパララックスバリア素子であり、
前記パララックスバリア素子は、前記複数の開口部が階段状に斜めに連続するステップバリア方式、または斜め方向に開口が連続する斜めバリア方式の構成である
請求項１に記載の表示装置。
【発明の詳細な説明】
【技術分野】
【０００１】
本開示は、パララックスバリア等の視差分離手段を用いて裸眼方式による立体表示を行う表示装置に関する。
【背景技術】
【０００２】
立体表示を行う手法としては、立体視用の眼鏡を用いる眼鏡方式と、立体視用の特殊な眼鏡を用いることなく裸眼での立体視を可能にした裸眼方式とがある。眼鏡方式の代表的なものとしては、左眼用シャッタと右眼用シャッタとを有するシャッタめがねを用いるシャッタめがね方式がある。シャッタめがね方式では、２次元表示パネルに左眼用と右眼用の各視差画像をフレームシーケンシャルで高速で交互に表示する。そして、各視差画像の表示タイミングに合わせて左眼用シャッタと右眼用シャッタとを交互に切り換えることにより、観察者の左眼には左眼用視差画像、右眼には右眼用視差画像のみを入射させることで、立体視を可能にしている。
【０００３】
一方、裸眼方式の代表的なものとしては、パララックスバリア方式とレンチキュラレンズ方式とがある。パララックスバリア方式やレンチキュラ方式の場合、２次元表示パネルに立体視用の視差画像（２視点の場合には右眼用視差画像と左眼用視差画像）を空間分割して表示し、その視差画像を視差分離手段によって水平方向に視差分離することで立体視が行われる。パララックスバリア方式の場合、視差分離手段としてスリット状の開口が設けられたパララックスバリアを用いる。レンチキュラ方式の場合、視差分離手段として、シリンドリカル状の分割レンズを複数並列配置したレンチキュラレンズが用いられる。
【先行技術文献】
【特許文献】
【０００４】
【特許文献１】特開２００９−１３９９４７号公報
【発明の概要】
【発明が解決しようとする課題】
【０００５】
しかしながら、視差分離手段を用いた裸眼方式では、複数の視点画像を画像表示素子の１つの画面内に空間分割して表示するため、画像表示素子自体の本来の表示解像度よりも、各視点画像の表示解像度が劣化してしまう問題がある。例えばパララックスバリア方式によって２視点の立体画像表示を行う場合、パララックスバリアの開口部のパターン（バリアパターン）を垂直ストライプ形状とし、２視点分の各視点画像を水平方向に交互に表示するような表示パターンにすると、各視点画像の水平方向の解像度は１／２に劣化する一方、垂直方向には解像度は劣化しない。特許文献１には、バリアパターンをモザイク状に配置した表示装置に関する発明が開示されているが、各視点画像について、水平方向のサブピクセルの組み合わせを１画素として用いているので、各視点画像の水平方向の解像度が劣化する。
【０００６】
本開示の目的は、解像度の不自然な劣化を抑えることができるようにした表示装置を提供することにある。
【課題を解決するための手段】
【０００７】
本開示による表示装置は、複数のサブピクセルを有する画素が第１の方向および第２の方向に２次元的に配列され、複数の視点画像を各サブピクセルに割り当てて表示する表示部と、表示部に表示された各視点画像を空間的に分離する分離部とを備え、第１または第２の方向の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いるようにしたものである。
【０００８】
本開示の表示装置では、第１または第２の方向の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いた表示が行われる。
【発明の効果】
【０００９】
本開示の表示装置によれば、第１または第２の方向の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いるようにしたので、解像度の劣化を第１および第２の方向に分散させることができ、解像度の不自然な劣化を抑えることができる。
【図面の簡単な説明】
【００１０】
【図１】本開示の第１の実施の形態に係る表示装置の全体構成の一例を示す断面図である。
【図２】第１の実施の形態に係る表示装置における表示部の画素構造の一例を示す平面図である。
【図３】図２に示した画素構造において複数のサブピクセルに複数の視点（３視点）画像を割り当てた第１の例を示す平面図である。
【図４】図２に示した画素構造において複数のサブピクセルに複数の視点（３視点）画像を割り当てた第２の例を示す平面図である。
【図５】図２に示した画素構造において複数のサブピクセルに複数の視点（３視点）画像を割り当てた第３の例を示す平面図である。
【図６】図２に示した画素構造において複数のサブピクセルに複数の視点（４視点）画像を割り当てた第４の例を示す平面図である。
【図７】図２に示した画素構造において複数のサブピクセルに複数の視点（４視点）画像を割り当てた第５の例を示す平面図である。
【図８】図２に示した画素構造において複数のサブピクセルに複数の視点（５視点）画像を割り当てた第６の例を示す平面図である。
【図９】第２の実施の形態に係る表示装置における表示部の画素の基本構造の一例を示す平面図である。
【図１０】図９に示した基本画素構造において複数のサブピクセルに複数の視点（２視点）画像を割り当てた第１の例を示す平面図である。
【図１１】図９に示した基本画素構造において複数のサブピクセルに複数の視点（２視点）画像を割り当てた第２の例を示す平面図である。
【図１２】図９に示した基本画素構造において複数のサブピクセルに複数の視点（３視点）画像を割り当てた第３の例を示す平面図である。
【図１３】図９に示した基本画素構造において複数のサブピクセルに複数の視点（３視点）画像を割り当てた第４の例を示す平面図である。
【図１４】表示装置の他の構成例を示す断面図である。
【発明を実施するための形態】
【００１１】
以下、本開示の実施の形態について図面を参照して詳細に説明する。
【００１２】
＜第１の実施の形態＞
［立体画像表示装置の全体構成］
図１は、本発明の第１の実施の形態に係る表示装置の一構成例を示している。この表示装置は、分離部としてのパララックスバリア１と、表示部２とを備えている。
【００１３】
表示部２は、液晶表示パネル、エレクトリックルミナンス方式の表示パネル、またはプラズマディスプレイ等の２次元表示ディスプレイで構成されている。表示部２の画像表示面には、複数の画素が第１の方向（水平方向）および第２の方向（垂直方向）に２次元的に配列されている。１つの画素は複数のサブピクセルで構成されている。例えば図２に示したように、１つの画素がＲ（赤色）サブピクセル２０Ｒと、Ｇ（緑色）サブピクセル２０Ｇと、Ｂ（青色）サブピクセル２０Ｂと、Ｗ（白色）サブピクセル２０Ｗとの第１ないし第４の色のサブピクセルから構成されている。そして、水平方向に４つの色の各サブピクセルが周期的に交互に配列され、垂直方向には同一色のサブピクセルが配列されている。なお、図２において、細かい長方形状の部分が、１つのサブピクセルである。この配列の場合、表示部２の通常の表示状態（通常の２次元画像表示状態）では、水平方向の４つの色のサブピクセルの組み合わせが１つの画素となり、１つの画素の大きさは例えば水平方向および垂直方向、共に１Ｐとなる。表示部２には、複数の視点用の視差画像（視点画像）が、後述する所定の画素配列パターンに従って各サブピクセルに割り当てられて合成表示されるようになっている。
【００１４】
パララックスバリア１は、表示部２に表示された視差合成画像に含まれる複数の視点画像を立体視が可能となるように複数の視点方向に分離するものであり、立体視を可能にするように表示部２に対して所定の位置関係で対向配置されている。パララックスバリア１は、光を遮蔽する遮蔽部１１と、光を透過し、画像表示素子２のサブピクセルに対して立体視が可能となるように所定の条件で対応付けられた視差分離部としての開口部１２とを有している。パララックスバリア１は、固定式のバリア素子であっても良いし、可変式のバリア素子であっても良い。固定式のバリア素子の場合、例えば透明な平行平面板（基材）の表面に、薄膜状の金属などで開口部１２および遮蔽部１１となるパターンを形成したものを用いることができる。可変式のバリア素子とする場合、例えばバックライト方式の液晶表示素子による表示機能（光変調機能）を用いて、開口部１２および遮蔽部１１のパターンを選択的に形成することができる。なお、図１では、表示部２の表示面側にパララックスバリア１を配置した例を示しているが、表示部２の背面側にパララックスバリア１を配置する構成であっても良い、例えば表示部２としてバックライト方式の液晶表示パネルを用いる場合、液晶表示パネルの背面側で、バックライトと液晶表示パネルとの間にバリア素子７を配置すれば良い。
【００１５】
パララックスバリア１は、特定の視点位置から表示部２を観測したときに特定の視点画像のみが観察されるように、表示部２の画面上の視差合成画像に含まれる複数の視点画像を分離するようになっている。パララックスバリア１の開口部１２と、表示部２の各サブピクセルとの位置関係から、表示部２の各サブピクセルより発せられた光の出射角度が制限される。表示部２における各サブピクセルは、開口部１２との位置関係によって、表示される方向が異なることとなる。観察者の左右の眼１０Ｌ，１０Ｒには、異なるサブピクセルからの光線Ｌ３，Ｌ２が到達し、互いに視差のある視点画像を観察する状態となることで立体映像として知覚できる。
【００１６】
［視点画像の割り当てパターンと開口部１２の配置パターンの具体例］
この表示装置では、第１の方向（水平方向）の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いる。以下、図３〜図８を参照して、複数の具体例を説明する。なお、図３〜図８において、赤色サブピクセル２０Ｒ、緑色サブピクセル２０Ｇ、青色サブピクセル２０Ｂ、および白色サブピクセル２０Ｗのそれぞれに付した番号は、表示する視点数に対応する画素番号（視点番号）を示している。また、図３〜図８では、パララックスバリア１の開口部１２の配置パターン（バリアパターン）は、第１の視点画像に対応する位置から見た状態を示している。
【００１７】
図３〜図８の具体例ではいずれも、第１のサブピクセルライン（奇数行ライン）上にある第１の画素を構成する第１および第２の色のサブピクセルと第２のサブピクセルライン（偶数行ライン）上にある第２の画素を構成する第３および第４の色のサブピクセルとの組み合わせを１つの視点画像を表示するための１画素として用いている。例えば、第１の視点画像を例にすると、最も左上の１画素は、最も上側の第１行目のサブピクセルライン上の赤色サブピクセル２０Ｒおよび緑色サブピクセル２０Ｇと、次の第２行目のサブピクセルライン上で斜め方向に位置する青色サブピクセル２０Ｂおよび白色サブピクセル２０Ｗとの組み合わせで構成されている。
【００１８】
（３視点表示の具体例）
図３〜図５の第１〜第３の具体例は、３視点の立体表示を行う場合の例である。図３の第１の具体例では、パララックスバリア１の開口部１２は、その配置位置が水平方向の１サブピクセルラインごとに周期的に変わるように、水平方向および垂直方向に２次元的に配置されている。１つ開口部１２の大きさは、水平方向には２つ分のサブピクセルの大きさ（幅）に対応し、垂直方向は１つ分のサブピクセルの大きさ（長さ）に対応している。各サブピクセルへの視点画像の割り当てパターンは、この開口部１２の配置パターンに対応している。各サブピクセルへの視点画像の割り当てパターンは、水平方向の１サブピクセルラインごとに周期的に変わるようになっている。
【００１９】
図４の第２の具体例では、パララックスバリア１の複数の開口部１２が、階段状に斜めに連続するステップバリア状となっている。１つ開口部１２の大きさは、水平方向には２つ分のサブピクセルの大きさ（幅）に対応し、垂直方向は１つ分のサブピクセルの大きさ（長さ）に対応している。各サブピクセルへの視点画像の割り当てパターンは、この開口部１２の配置パターンに対応している。各サブピクセルへの視点画像の割り当てパターンは、２つのサブピクセルの組み合わせが階段状に斜めに連続するようなステップバリア状となっている。
【００２０】
図５の第３の具体例では、パララックスバリア１の複数の開口部１２Ａが、斜め方向に開口が連続する斜めバリア状となっている。各サブピクセルへの視点画像の割り当てパターンは、この斜め方向の開口部１２Ａの配置パターンに対応している。各サブピクセルへの視点画像の割り当てパターンは、図４の第２の具体例と同様となっている。
【００２１】
図３〜図５の第１〜第３の具体例ではいずれも、３視点分の１画素（１立体画素）の大きさは、図２の通常の１画素の大きさに対して、水平方向は１．５倍（１．５Ｐ）、垂直方向は２倍（２Ｐ）となる。
【００２２】
（４視点表示の具体例）
図６〜図７の第４〜第５の具体例は、４視点の立体表示を行う場合の例である。図６の第４の具体例は、図３の第１の具体例に対して各サブピクセルに割り当てられる視点画像の数を３視点から４視点に拡張したものであり、視点画像の割り当てパターンと開口部１２の配置パターンは、基本的に図３の第１の具体例と同様である。
【００２３】
図７の第５の具体例は、図４の第２の具体例に対して各サブピクセルに割り当てられる視点画像の数を３視点から４視点に拡張したものであり、視点画像の割り当てパターンと開口部１２の配置パターンは、基本的に図４の第２の具体例と同様である。
【００２４】
図６〜図７の第４〜第５の具体例ではいずれも、４視点分の１画素（１立体画素）の大きさは、図２の通常の１画素の大きさに対して、水平方向は２倍（２Ｐ）、垂直方向は２倍（２Ｐ）となる。
【００２５】
（５視点表示の具体例）
図８の第６の具体例は、５視点の立体表示を行う場合の例である。この第６の具体例は、図３の第１の具体例に対して各サブピクセルに割り当てられる視点画像の数を３視点から５視点に拡張したものであり、視点画像の割り当てパターンと開口部１２の配置パターンは、基本的に図３の第１の具体例と同様である。
【００２６】
この第６の具体例では、５視点分の１画素（１立体画素）の大きさは、図２の通常の１画素の大きさに対して、水平方向は２．５倍（２．５Ｐ）、垂直方向は２倍（２Ｐ）となる。
【００２７】
［効果］
以上説明したように、本実施の形態に係る表示装置によれば、第１の方向（水平方向）の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いるようにしたので、解像度の劣化を第１の方向（水平方向）および第２の方向（垂直方向）に分散させることができ、解像度の不自然な劣化を抑えることができる。
【００２８】
＜第２の実施の形態＞
次に、本発明の第２の実施の形態に係る表示装置について説明する。なお、上記第１の実施の形態に係る表示装置と実質的に同一の構成部分には同一の符号を付し、適宜説明を省略する。
【００２９】
［画素の基本構造］
図９は、本実施の形態に係る表示装置における表示部２の画素の基本構造の一例を示している。本実施の形態では、１つの画素がＲ（赤色）サブピクセル２１Ｒと、Ｇ（緑色）サブピクセル２１Ｇと、Ｂ（青色）サブピクセル２１Ｂと、Ｗ（白色）サブピクセル２１Ｗとの第１ないし第４の色のサブピクセルから構成されている。そして、それら第１ないし第４の色のサブピクセルが第１の方向（水平方向）および第２の方向（垂直方向）に正方形状に配列されている。第１ないし第４の色のサブピクセルはそれぞれ、正方形状となっている。この配列の場合、表示部２の通常の表示状態（通常の２次元画像表示状態）では、水平方向の２つの色のサブピクセルと、次のサブピクセルライン上にある他の２つの色のサブピクセルとの正方形状の組み合わせが１つの画素となり、１つの画素の大きさは例えば水平方向および垂直方向、共に１Ｐとなる。
【００３０】
［視点画像の割り当てパターンと開口部１２の配置パターンの具体例］
本実施の形態では、第２の方向（垂直方向）の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いる。以下、図１０〜図１３を参照して、複数の具体例を説明する。なお、図１０〜図１３において、赤色サブピクセル２１Ｒ、緑色サブピクセル２１Ｇ、青色サブピクセル２１Ｂ、および白色サブピクセル２１Ｗのそれぞれに付した番号は、表示する視点数に対応する画素番号（視点番号）を示している。また、図１０〜図１３では、パララックスバリア１の開口部１２の配置パターン（バリアパターン）は、第１の視点画像に対応する位置から見た状態を示している。
【００３１】
（２視点表示の具体例）
図１０〜図１１の第１〜第２の具体例は、２視点の立体表示を行う場合の例である。なお、図１０〜図１１の具体例では、この表示装置を配置する空間上の座標系での第１の方向（水平方向）をＸ０、第２の方向（垂直方向）をＹ０とする。また、表示面内での座標系での第１の方向（水平方向）をＸ１、第２の方向（垂直方向）をＹ１とする。ここでは、表示部２が、第１の配置状態（図１０）と、第１の配置状態に対して配置方向を表示面に平行な面内で所定角度（９０°）回転させた第２の配置状態（図２）との２つの配置状態に切り替えて画像表示が可能なものであるものとする。この場合、第１の配置状態と第２の配置状態とで、視点画像を表示するための１画素として用いるサブピクセルの組み合わせを異ならせる。
【００３２】
図１０〜図１１の具体例ではいずれも、配置空間上のＸ０−Ｙ０座標系における第２の方向（垂直方向）の第１のサブピクセルライン（奇数列ライン）上にある第１の画素を構成する第１および第２の色のサブピクセルと第２のサブピクセルライン（偶数列ライン）上にある第２の画素を構成する第３および第４の色のサブピクセルとの組み合わせを１つの視点画像を表示するための１画素として用いている。
【００３３】
例えば図１０の第１の配置状態において、第１の視点画像を例にすると、最も左上の１画素は、最も左側の第１列目のサブピクセルライン上の赤色サブピクセル２１Ｒおよび青色サブピクセル２１Ｂと、次の第２列目のサブピクセルライン上で斜め方向に位置する緑色サブピクセル２１Ｇおよび白色サブピクセル２１Ｗとの組み合わせで構成されている。
【００３４】
また例えば図１１の第２の配置状態において、第１の視点画像を例にすると、最も左上の１画素は、最も左側の第１列目のサブピクセルライン上の青色サブピクセル２１Ｂおよび白色サブピクセル２１Ｗと、次の第２列目のサブピクセルライン上で斜め方向に位置する赤色サブピクセル２１Ｒおよび緑色サブピクセル２１Ｇとの組み合わせで構成されている。
【００３５】
なお、図１０の第１の配置状態では、第１のサブピクセルラインおよび第２のサブピクセルラインは、表示面内のＸ１−Ｙ１座標系で第２の方向（Ｙ１方向）のサブピクセルラインであり、図１１の第２の配置状態では、第１のサブピクセルラインおよび第２のサブピクセルラインは、表示面内のＸ１−Ｙ１座標系では第１の方向（Ｘ１方向）のサブピクセルラインである。このため、第１の配置状態と第２の配置状態とで、視点画像を表示するための１画素として用いるサブピクセルの組み合わせが、各列単位では異なっている。
【００３６】
図１０〜図１１の具体例ではいずれも、パララックスバリア１の開口部１２は、その配置位置が配置空間上のＸ０−Ｙ０座標系における第２の方向（垂直方向）の１サブピクセルラインごとに周期的に変わるように、水平方向および垂直方向に２次元的に配置されている。１つ開口部１２の大きさは、配置空間上のＸ０−Ｙ０座標系で水平方向には１つ分のサブピクセルの大きさ（幅）に対応し、垂直方向は２つ分のサブピクセルの大きさ（長さ）に対応している。各サブピクセルへの視点画像の割り当てパターンは、この開口部１２の配置パターンに対応している。各サブピクセルへの視点画像の割り当てパターンは、垂直方向の１サブピクセルラインごとに周期的に変わるようになっている。
【００３７】
（３視点表示の具体例）
図１２〜図１３の第３〜第４の具体例は、３視点の立体表示を行う場合の例である。図１２〜図１３では、図９に示した画素構造に対して表示画面全体の大きさを縦方向に拡張している。
【００３８】
図１２の第３の具体例は、図１０の第１の具体例に対して各サブピクセルに割り当てられる視点画像の数を２視点から３視点に拡張したものであり、視点画像の割り当てパターンと開口部１２の配置パターンは、基本的に図１０の第１の具体例と同様である。
【００３９】
図１３の第４の具体例では、パララックスバリア１の複数の開口部１２が、階段状に斜めに連続するステップバリア状となっている。各サブピクセルへの視点画像の割り当てパターンは、このステップバリア状の開口部１２の配置パターンに対応している。各サブピクセルへの視点画像の割り当てパターンは、２つのサブピクセルの組み合わせが階段状に斜めに連続するようなステップバリア状となっている。
【００４０】
図１２〜図１３の第３〜第４の具体例ではいずれも、３視点分の１画素（１立体画素）の大きさは、図９の通常の１画素の大きさに対して、水平方向は１．５倍（１．５Ｐ）、垂直方向は２倍（２Ｐ）となる。
【００４１】
［効果］
以上説明したように、本実施の形態に係る表示装置によれば、配置空間上のＸ０−Ｙ０座標系における第２の方向（垂直方向）の第１のサブピクセルライン上にある複数のサブピクセルと第１のサブピクセルラインに隣接する第２のサブピクセルライン上にある他の複数のサブピクセルとの組み合わせを１つの視点画像を表示するための１画素として用いるようにしたので、解像度の劣化を第１の方向（水平方向）および第２の方向（垂直方向）に分散させることができ、解像度の不自然な劣化を抑えることができる。
【００４２】
＜その他の実施の形態＞
本開示による技術は、上記各実施の形態の説明に限定されず種々の変形実施が可能である。
例えば、図１４に示したように、図１に示したパララックスバリア１に代えて、分離部としてレンチキュラレンズ１Ａを用いるようにしても良い。レンチキュラレンズ１Ａは、複数の視差分離部として機能する複数の分割レンズを有している。分割レンズは、例えば所定の方向に延在する円筒レンズ１３である。例えば図５の斜めバリア方式に代えて、母線方向が斜め方向となるように円筒レンズ１３を配置した構成にすれば良い。
【００４３】
また例えば、本技術は以下のような構成を取ることができる。
（１）
複数のサブピクセルを有する画素が第１の方向および第２の方向に２次元的に配列され、複数の視点画像を前記各サブピクセルに割り当てて表示する表示部と、
前記表示部に表示された前記各視点画像を空間的に分離する分離部と
を備え、
前記第１または第２の方向の第１のサブピクセルライン上にある複数のサブピクセルと前記第１のサブピクセルラインに隣接する第２のサブピクセルライン上にある他の複数のサブピクセルとの組み合わせを１つの前記視点画像を表示するための１画素として用いる
表示装置。
（２）
前記表示部の１つの画素は、互いに表示色が異なる第１ないし第４の色のサブピクセルからなる
上記（１）に記載の表示装置。
（３）
前記第１のサブピクセルライン上にある第１の画素を構成する第１および第２の色のサブピクセルと前記第２のサブピクセルライン上にある第２の画素を構成する第３および第４の色のサブピクセルとの組み合わせを１つの前記視点画像を表示するための１画素として用いる
上記（２）に記載の表示装置。
（４）
前記表示部において、前記第１の方向には、前記第１ないし第４の色のサブピクセルが周期的に交互に配列され、前記第２の方向には同一色のサブピクセルが配列されており、
前記第１のサブピクセルラインおよび前記第２のサブピクセルラインは、前記第１の方向のサブピクセルラインである
上記（３）に記載の表示装置。
（５）
前記表示部の１つの画素は、前記第１ないし第４の色のサブピクセルが前記第１の方向および前記第２の方向に正方形状に配列されたものであり、
前記第１のサブピクセルラインおよび前記第２のサブピクセルラインは、前記第２の方向のサブピクセルラインである
上記（３）に記載の表示装置。
（６）
前記表示部は、第１の配置状態と、前記第１の配置状態に対して配置方向を表示面に平行な面内で所定角度回転させた第２の配置状態との２つの配置状態に切り替えて画像表示が可能なものであり、
前記第１の配置状態と前記第２の配置状態とで、前記視点画像を表示するための１画素として用いるサブピクセルの組み合わせを異ならせる
上記（５）に記載の表示装置。
（７）
前記第１の配置状態では、前記第１のサブピクセルラインおよび前記第２のサブピクセルラインは、前記表示部の表示面内の座標系で前記第２の方向のサブピクセルラインであり、
前記第２の配置状態では、前記第１のサブピクセルラインおよび前記第２のサブピクセルラインは、前記表示部の表示面内の座標系で前記第１の方向のサブピクセルラインである
上記（６）に記載の表示装置。
（８）
前記分離部は、光を透過する複数の開口部を有するパララックスバリア素子であり、
前記複数の開口部は、その配置位置が前記第１の方向または前記第２の方向の１サブピクセルラインごとに周期的に変わるように、前記第１の方向および前記第２の方向に２次元的に配置されている
上記（１）ないし（７）のいずれか１つに記載の表示装置。
（９）
前記分離部は、光を透過する複数の開口部を有するパララックスバリア素子であり、
前記パララックスバリア素子は、前記複数の開口部が階段状に斜めに連続するステップバリア方式、または斜め方向に開口が連続する斜めバリア方式の構成である
上記（１）ないし（７）のいずれか１つに記載の表示装置。
【符号の説明】
【００４４】
１…パララックスバリア、１Ａ…レンチキュラレンズ、２…表示部、１０Ｌ…左眼、１０Ｒ…右眼、１１…遮蔽部、１２，１２Ａ…開口部、１３…円筒レンズ（分割レンズ）、２０Ｒ，２１Ｒ…赤色サブピクセル、２０Ｇ，２１Ｇ…緑色サブピクセル、２０Ｂ，２１Ｂ…青色サブピクセル、２０Ｗ，２１Ｗ…白色サブピクセル。
【図１】
2012212079.tif 000003
【図２】
2012212079.tif 000004
【図３】
2012212079.tif 000005
【図４】
2012212079.tif 000006
【図５】
2012212079.tif 000007
【図６】
2012212079.tif 000008
【図７】
2012212079.tif 000009
【図８】
2012212079.tif 000010
【図９】
2012212079.tif 000011
【図１０】
2012212079.tif 000012
【図１１】
2012212079.tif 000013
【図１２】
2012212079.tif 000014
【図１３】
2012212079.tif 000015
【図１４】
2012212079.tif 000016